【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
表示画面に対するタッチを検出可能なタッチ検出手段と、前記表示画面に表示対象を表示するように制御する制御手段と、を有し、
前記制御手段は、
第１の表示対象内の一部の領域に、第２の表示対象が表示されているときに、
前記表示画面が所定の押圧力未満でタッチされ、タッチ位置が移動したことに応じて、前記第２の表示対象の表示位置の移動を伴って前記第１の表示対象の表示範囲を変更するように制御し、
前記表示画面が前記所定の押圧力以上でタッチされ、タッチ位置が移動したことに応じて、前記第１の表示対象のうち前記第２の表示対象以外の部分を移動することなく前記第２の表示対象の表示範囲を変更するように制御する、
ことを特徴とする電子機器。
【請求項２】
前記制御手段は、
前記タッチ検出手段によりタッチ位置の移動を検出したことに応じて、前記第２の表示対象をスクロール、または、拡大／縮小することにより、前記第２の表示対象の表示範囲を変更することを特徴とする請求項１に記載の電子機器。
【請求項３】
前記制御手段は、
前記表示画面がタッチされたときのタッチ位置に関わらず、前記タッチの押圧力に応じて、変更する表示範囲の表示対象を切り換えるように制御することを特徴とする請求項１または２に記載の電子機器。
【請求項４】
前記制御手段は、
前記第２の表示対象がタッチされた場合に、前記タッチの押圧力に応じて、表示範囲を変更する表示対象を決定することを特徴とする請求項１または２に記載の電子機器。
【請求項５】
前記制御手段は、
前記表示画面へのタッチの押圧力に応じて、前記第２の表示対象の表示領域を示す枠の表示形態を変更することを特徴とする請求項１ないし４の何れか１項に記載の電子機器。
【請求項６】
前記制御手段は、
前記表示画面へのタッチの押圧力に応じて、前記第２の表示対象の表示領域を示す枠の色を変更することを特徴とする請求項５に記載の電子機器。
【請求項７】
前記制御手段は、
前記第１の表示対象上であって前記第２の表示対象以外の領域がタッチされてから、タッチ位置が移動した場合には、前記タッチの押圧力に関わらず、前記第２の表示対象の表示位置の移動を伴って前記第１の表示対象の表示範囲を変更することを特徴とする請求項１ないし４の何れか１項に記載の電子機器。
【請求項８】
前記制御手段は、
前記第１の表示対象上であって前記第２の表示対象以外がタッチされ、前記所定の押圧力以上でタッチ位置が移動した場合には、前記第１の表示対象および前記第２の表示対象の表示範囲を変更しないように制御することを特徴とする請求項７に記載の電子機器。
【請求項９】
前記制御手段は、
前記タッチ位置が移動したことに応じて表示対象の表示範囲を変更してから、前記表示画面が再びタッチされタッチ位置が移動した場合には、押圧力に関わらず、前回表示範囲を変更した表示対象に対して、表示範囲を変更するように制御することを特徴とする請求項１ないし８の何れか１項に記載の電子機器。
【請求項１０】
前記制御手段は、
前記表示画面が再びタッチされたときのタッチ位置が、前記第１の表示対象上であって前記第２の表示対象以外である場合には、前記第２の表示対象の表示位置の移動を伴って前記第１の表示対象の表示範囲を変更することを特徴とする請求項９に記載の電子機器。
【請求項１１】
前記制御手段は、
前記タッチ位置が移動したことに応じて表示対象の表示範囲を変更してから、前記表示画面が再びタッチされタッチ位置が移動した場合には、タッチ位置に関わらず、前回表示範囲を変更した表示対象に対して、表示範囲を変更するように制御することを特徴とする請求項１ないし１０の何れか１項に記載の電子機器。
【請求項１２】
前記制御手段は、
前記タッチ位置が移動したことに応じて表示対象の表示範囲を変更してから、第１の期間が経過するまでに前記表示画面が再びタッチされタッチ位置が移動した場合には、前回表示範囲を変更した表示対象に対して、表示範囲を変更するように制御することを特徴とする請求項９ないし１１の何れか１項に記載の電子機器。
【請求項１３】
前記制御手段は、
前記第１の期間が経過した後に前記表示画面がタッチされタッチ位置が移動した場合には、前記第１の期間が経過した後にタッチ位置が移動したときの押圧力に応じて、変更する表示範囲の表示対象を切り換えることを特徴とする請求項１２に記載の電子機器。
【請求項１４】
前記制御手段は、
前記タッチ位置が移動したことに応じて表示対象の表示範囲を変更してから、前記表示画面がタッチされ、表示範囲の変更とは異なるタッチ操作を受け付けた場合には、押圧力またはタッチ位置に関わらず、前回表示範囲を変更した表示対象に対して、前記異なるタッチ操作に応じた制御をすることを特徴とする請求項１ないし１３の何れか１項に記載の電子機器。
【請求項１５】
前記制御手段は、
前記タッチ位置が移動したことに応じて表示対象の表示範囲を変更してから第２の期間が経過するまでに前記異なるタッチ操作を受け付けた場合には、前回表示範囲を変更した表示対象に対して、前記異なるタッチ操作に応じた制御をすることを特徴とする請求項１４に記載の電子機器。
【請求項１６】
前記異なるタッチ操作に応じた制御とは、前記表示対象を拡大または縮小する制御であることを特徴とする請求項１４または１５に記載の電子機器。
【請求項１７】
前記制御手段は、
表示範囲が変更される表示対象をユーザに対して識別可能に通知することを特徴とする請求項１ないし１６の何れか１項に記載の電子機器。
【請求項１８】
前記制御手段は、
表示範囲が変更される表示対象に対して、強調表示、色の変更および表示アイテムの表示のうち少なくとも何れか一つを行うことにより、表示範囲が変更される表示対象をユーザに対して通知することを特徴とする請求項１７に記載の電子機器。
【請求項１９】
前記電子機器は、撮像手段および表示画面を有する撮像装置であることを特徴とする請求項１ないし１８の何れか１項に記載の電子機器。
【請求項２０】
表示画面に対するタッチを検出するタッチ検出ステップと、
前記表示画面に対する押圧力を検出する圧力検出ステップと、
前記表示画面に表示対象を表示するように制御する制御ステップと、を有し、
前記制御ステップでは、
第１の表示対象内の一部の領域に、第２の表示対象が表示されているときに、前記表示画面が所定の押圧力未満でタッチされ、タッチ位置が移動したことに応じて、前記第２の表示対象の表示位置の移動を伴って前記第１の表示対象の表示範囲を変更するように制御し、
前記表示画面が前記所定の押圧力以上でタッチされ、タッチ位置が移動したことに応じて、前記第１の表示対象のうち前記第２の表示対象以外の部分を移動することなく、前記第２の表示対象の表示範囲を変更するように制御する、
ことを特徴とする電子機器の制御方法。
【請求項２１】
コンピュータを、請求項１ないし１９の何れか１項に記載された電子機器の制御手段として機能させるためのプログラム。
【請求項２２】
請求項２０に記載の電子機器の制御方法をコンピュータに実行させるためのプログラム。
【手続補正２】
【補正対象書類名】明細書
【補正対象項目名】０００１
【補正方法】変更
【補正の内容】
【０００１】
本発明は、電子機器、その制御方法およびプログラムに関するものである。
【手続補正３】
【補正対象書類名】明細書
【補正対象項目名】０００６
【補正方法】変更
【補正の内容】
【０００６】
本発明の電子機器は、表示画面に対するタッチを検出可能なタッチ検出手段と、前記表示画面に表示対象を表示するように制御する制御手段と、を有し、前記制御手段は、第１の表示対象内の一部の領域に、第２の表示対象が表示されているときに、前記表示画面が所定の押圧力未満でタッチされ、タッチ位置が移動したことに応じて、前記第２の表示対象の表示位置の移動を伴って前記第１の表示対象の表示範囲を変更するように制御し、前記表示画面が前記所定の押圧力以上でタッチされ、タッチ位置が移動したことに応じて、前記第１の表示対象のうち前記第２の表示対象以外の部分を移動することなく前記第２の表示対象の表示範囲を変更するように制御する、ことを特徴とする。